(57)【要約】      （修正有）【課題】複数連結した場合に、それらの接合部は直線として現れ、４枚のプレート部材を田の字状に連結する場合にも、プレート部材の角を特別な形状にする必要のないプレート部材、接合縁を替えたり表裏いずれの側でも表側にして連結できるプレート部材の提供。【解決手段】平面視が正方形または矩形のプレートの連接する２辺の下縁に平行で直角に曲がり、プレートの厚みの２分の１よりも薄い厚みで下面がプレートの下面と面一の突縁を有し、２辺に対向する連接する２辺の上縁に平行で直角に曲がり、突縁と同じ厚みで、プレートの上面と面一の突縁を有し、下縁の突縁の上面に、その外縁に沿って上向きに、上縁の突縁の下面に、その外縁に沿って下向きに、プレートの厚みから２つの突縁の厚みを引いた厚さで、突縁の幅の実質的２分の１の幅の突条６を設けて、プレートの側壁と突条６との間を溝５とする。【選択図】図１
0003124820.tif 000002
【実用新案登録請求の範囲】
【請求項１】
平面視が正方形または矩形のプレートの連接する２辺の下縁に平行で直角に曲がり、前記プレートの厚みの２分の１よりも薄い厚みで下面が前記プレートの下面と面一の突縁を有し、前記２辺に対向する連接する２辺の上縁に平行で直角に曲がり、前記突縁と同じ厚みで、前記プレートの上面と面一の突縁を有し、前記下縁の突縁の上面に、その外縁に沿って上向きに、前記上縁の突縁の下面に、その外縁に沿って下向きに、前記プレートの厚みから前記２つの突縁の厚みを引いた厚さで、前記突縁の幅の実質的２分の１の幅の突条を設けて、前記プレートの側壁と前記突条との間を溝とし、かつ、該溝の両端は前記突縁の外側で開口してなるプレート部材であって、前記両突縁のいずれかの突縁に他のプレート部材の両突縁のいずれかの突縁を対向させて、互いの突条を溝に嵌合させて連結することを可能とするプレート部材。
【請求項２】
プレート部材を、２枚の平面視正方形または矩形のプレートを、連接する２辺を平行にずらして上下に対向させ、それら２枚のプレートの間に、それらプレートの対向側の面を覆う大きさのプレートを挟んで、それら３枚のプレートを接着固形し、上方のプレートより突出して庇部を形成する上方のプレートと中間のプレートの突縁において、下方のプレートの隣接する２辺に沿って突縁の幅の実質的２分の１の幅で中間のプレートを切除して突縁の両端で開口する溝を形成し、下方のプレートより突出して棚部を形成する下方のプレートと中間のプレートの突縁において、上方のプレートの隣接する２辺に沿って突縁の幅の実質的２分の１の幅で中間のプレートを切除して突縁の両端で開口する溝を形成してなることを特徴とする請求項１に記載のプレート部材。
【請求項３】
プレート部材が一体成形で形成してなることを特徴とする請求項１または２に記載のプレート部材。
【考案の詳細な説明】
【技術分野】
【０００１】
この考案は、連結可能なマット、玩具プレート、その他のプレート状の部材（以下特に差別する必要がある場合を除きプレート部材と総称する。）に関するものである。
【背景技術】
【０００２】
従来から、プレート部材を複数連結するために、特許文献１に示すように、プレート部材の周縁の壁面に等間隔に湾入部を設け、それら湾入部間を突部として凹凸を設け、複数のプレート部材を隣接させて、互いの凹凸を嵌合させて連結している。
【特許文献１】実公昭５１−１４４２０号公報（実用新案登録請求の範囲、１頁左欄第２２行〜                                      第２５行、図１、図３）
【考案の開示】
【考案が解決しようとする課題】
【０００３】
従来のプレート部材を複数連結すると、それらの接合部には波状の連結曲線があらわれて見苦しい。また、４枚のプレートを田の字状に連結するためには、４枚のプレート部材の接合の角（カド）を特別な凹凸形状にしなければならない。
【０００４】
この考案は、構造が簡単で、複数連結した場合に、それらの接合部は直線として現れ、４枚のプレート部材を田の字状に連結する場合にも、プレート部材の角を特別な形状にする必要のないプレート部材、接合縁を替えたり表裏いずれの側でも表側にして連結できるプレート部材を提供することを目的とする。
【課題を解決するための手段】
【０００５】
平面視が正方形または矩形のプレートの連接する２辺の下縁に平行で直角に曲がり、前記プレートの厚みの２分の１よりも薄い厚みで下面が前記プレートの下面と面一の突縁を有し、前記２辺に対向する連接する２辺の上縁に平行で直角に曲がり、前記突縁と同じ厚みで、前記プレートの上面と面一の突縁を有し、前記下縁の突縁の上面に、その外縁に沿って上向きに、前記上縁の突縁の下面に、その外縁に沿って下向きに、前記プレートの厚みから前記２つの突縁の厚みを引いた厚さで、前記突縁の幅の実質的２分の１の幅の突条を設けて、前記プレートの側壁と前記突条との間を溝とし、かつ、該溝の両端は前記突縁の外側で開口してなるプレート部材であって、前記両突縁のいずれかの突縁に他のプレート部材の両突縁のいずれかの突縁を対向させて、互いの突条を溝に嵌合させて連結することを可能とする。
【０００６】
前記プレート部材を、２枚の平面視が正方形または矩形のプレートを、連接する２辺を平行にずらして上下に対向させ、それら２枚のプレートの間に、それらプレートの対向側の面を覆う大きさのプレートを挟んで、それら３枚のプレートを接着固形し、上方のプレートより突出して庇部を形成する上方のプレートと中間のプレートの突縁において、下方のプレートの隣接する２辺に沿って突縁の幅の実質的２分の１の幅で中間のプレートを切除して突縁の両端で開口する溝を形成し、下方のプレートより突出して棚部を形成する下方のプレートと中間のプレートの突縁において、上方のプレートの隣接する２辺に沿って突縁の幅の実質的２分の１の幅で中間のプレートを切除して突縁の両端で開口する溝を形成して構成してもよい。
【０００７】
前記プレート部材を一体成形で形成することができる。
【考案の効果】
【０００８】
この考案に係るプレート部材は、構造が簡単で、互いに接合連結が容易で、複数連結した場合に、それらの接合部は直線として現れ、４枚のプレート部材を田の字状に連結する場合にも、プレート部材の角を特別な形状にする必要のない。また、接合方向や表裏を替えて連結できる。複数枚を連結してある状態で、その内の１枚の表面がよごれたり、痛んだ場合には、そのプレート部材を裏返しすればよい。
【考案を実施するための最良の形態】
【０００９】
図１はプレート部材１の平面図、図２は正面図、図３は底面図である。
プレート部材１は、合成樹脂、ゴム、金属、木等いずれの材料でもよいが、弾性体で形成するのが好ましい。
プレート部材１は、図４に示すように、同じ厚さで、同じ大きさの平面形状の正方形または矩形のプレート２、３を、その連接する２辺を少し平行にずらして、対向させ、その間に、両プレートの対向面を覆うプレート４を挟んでプレート２、４、３を接着固定する。
プレート４の厚さは限定しないが、プレート部材１があまり厚くならないように、プレート２、３の厚さよりも薄くするのが好ましい。
【００１０】
そして、プレート２の連接する２辺とずれて現れているプレート３の隣接する２縁部に形成された直角に曲がった突縁に重なるプレート４において、プレート２の２辺に沿って、ずれている幅の実質的半分の幅を削除する。この削除により、削除部分はプレート３の上面を底面とし、削除幅を幅とする溝５を形成し、削除せずに残ったプレート４の縁部は突条５を形成する。
溝５の両端は、プレート３の縁の外側に開口する。
【００１１】
更に、プレート２の裏側において、前記２辺以外のプレート２とプレート４の２辺の縁部がプレート３の縁部よりずれて突縁を形成している。その突縁のプレート４の部分において、ずれている幅の実質的半分の幅だけをプレート３の辺に沿って削除する。この削除により、削除部分はプレート２の上面を底面とし、削除幅を幅とする溝５を形成し、削除せずに残ったプレート４の縁部は突条６を形成する。
溝５の両端は、プレート２の縁の外側に開口する。
なお、プレート２およびプレート３のいずれの側の溝５も、プレート２およびプレート３の角（カド）の部分で交わり、それらの角に突部７が残る。この突部７は削除してもよい。
【００１２】
これら溝５の形成により、プレート２、３の角の突部７がない方の角は、溝５の形成の際に切り離される。図１および図３の点線で表示した角が切り離された除去部７である。    
【００１３】
プレート部材１の連結状態を図５、図６および図７に示す。
図５に示す連結は次のとおりである。すなわち、２枚のプレート部材１ａと１ｂのプレート２ａと２ｂを同じく上側とし、プレート３ａと３ｂを同じく下側とする。
プレート部材１ａと１ｂの接合縁部において、プレート３ａの突縁の上方にプレート２ｂの突縁を対向させ、互いの突条６を溝５に嵌合させることにより、２つのプレート部材１ａと１ｂとが連結する。
【００１４】
図６は、図５におけるプレート３ｂの向きを９０度変えて、図５において接合している縁の隣の縁をプレート２ａの縁に接合させ、上記と同様に突条６を溝５に嵌合させて連結した状態を示すものである。
【００１５】
図７は、図５のプレート部材１ｂを裏返し、プレート２ａとプレート３ｂを同じ側にして連結した状態を示すものである。
【００１６】
図８は、４枚のプレート部材１ａ、１ｂ、１ｃ、１ｄを田の字状に連結した平面図である。
プレート部材１ａと１ｂとは、図５に示す連結と同じ連結状態であり、プレート部材１ｃと１ｄも、図５に示す連結と同じ連結状態で、それらを更にプレート部材１ａと１ｃ、プレート部材１ｂと１ｄとを連結したものである。各プレート部材の接合辺を変えることができる。その場合には、接合しない溝５と突条６のある縁部の突出方向が変わるが、４枚のプレート部材の接合縁の線は十字条である。
【００１７】
平面視が矩形のプレート部材の縦横の長さの比率は限定しないが、図９に示すプレート部材１１のように、縦：横＝１：２にすれば、プレート部材１と１１の接合連結が適合して好ましい。
【００１８】
いずれのプレート部材も、弾性体よりなる場合には、突条６の幅を溝５の幅より幾分広くすれば、突条６を溝５に嵌合した場合に、突条６が溝５の内壁を押して連結が強固になる。
【００１９】
プレート部材の色彩は限定しないが、複数の色彩のものを用意すれば、色彩を選択することにより、カラーフルな色彩の連結状態とすることができる。
【００２０】
上記いずれの実施の形態のプレート部材も一体成形で形成してもよい。
【００２１】
複数個のプレートを連結した場合に、一部の突縁が突出したまま現れているが、その突縁を切除してもよい。
【図面の簡単な説明】
【００２２】
【図１】プレート部材の平面図である。
【図２】プレート部材の正面図である。
【図３】プレート部材の底面図である。
【図４】プレート部材の形成方法の説明図である。
【図５】２枚のプレート部材を連結した状態の平面図である。
【図６】２枚のプレート部材の他の連結状態の平面図である。
【図７】２枚のプレート部材の他の連結状態の平面図である。
【図８】４枚のプレート部材を田の字状に連結した状態の平面図である。
【図９】平面視矩形のプレート部材と正方形のプレート部材を連結した状態の平面図            である。
【符号の説明】
【００２３】
１、１１  プレート部材
２、３、４  プレート
５  溝
６  突条
７  突部
８  切除部
【図１】
0003124820.tif 000003
【図２】
0003124820.tif 000004
【図３】
0003124820.tif 000005
【図４】
0003124820.tif 000006
【図５】
0003124820.tif 000007
【図６】
0003124820.tif 000008
【図７】
0003124820.tif 000009
【図８】
0003124820.tif 000010
【図９】
0003124820.tif 000011